(57)【要約】【課題】板材加工機から取り外したブラシテーブルを確実かつ効率良く洗浄するのに適した専用のブラシテーブル洗浄機を提供すること。【解決手段】ブラシテーブル洗浄機１は、異物掻き取り具７を経由してブラシテーブル１００を搬送して、ブラシ１０３に付着している異物、ブラシ１０３間に絡まっている異物を、針状体７ｂによって掻き取る。温水等の洗浄液を用いて、搬送面、ブラシテーブル１００に流水洗浄を施す。ブラシテーブル１００の表面１０２、ブラシ１０３に付着している加工油等の異物が洗い流され、異物掻き取り具７において掻き取られた異物も、ブラシ１０３間等に残らないように洗い流される。流水洗浄、異物掻き取りが行われた後のブラシテーブル１００は超音波浸漬洗浄され、確実に、ブラシテーブル１００の表面１０２、ブラシ１０３に付着していた汚れが除去される。【選択図】図３
2020142158.tif 000002
【特許請求の範囲】
【請求項１】
洗浄対象のブラシテーブルを搬送する搬送路と、
前記搬送路に沿って前記ブラシテーブルを搬送する搬送機構と、
前記搬送路に沿って搬送される前記ブラシテーブルのブラシに付着している異物を掻き取るための針状体が所定のピッチで配列されている異物掻き取り部と、
前記異物掻き取り部の異物掻き取り位置を通過した後の前記ブラシテーブルに浸漬洗浄を施す浸漬洗浄部と
を有しているブラシテーブル洗浄機。
【請求項２】
前記搬送路の搬送面、または、当該搬送路および前記搬送路に沿って搬送される前記ブラシテーブルの双方に、流水洗浄を施す流水洗浄部を有している
請求項１に記載のブラシテーブル洗浄機。
【請求項３】
前記流水洗浄部では、前記搬送面および前記ブラシテーブルの双方に流水洗浄が施され、
前記異物掻き取り部では、前記搬送路に沿って流水洗浄されながら搬送される前記ブラシテーブルのブラシから異物の掻き取りが行われる
請求項２に記載のブラシテーブル洗浄機。
【請求項４】
前記ブラシテーブルの前記ブラシが前記異物掻き取り位置を繰り返し通過するように、前記搬送機構は、前記ブラシテーブルを前記搬送路に沿って前方および後方に繰り返し往復搬送する機能を備えている
請求項２または３に記載のブラシテーブル洗浄機。
【請求項５】
前記ブラシテーブルの前記ブラシが前記異物掻き取り位置を繰り返し通過するように、前記搬送路上の前記ブラシテーブルに対して、前記異物掻き取り部を移動させる移動機構を有している
請求項２または３に記載のブラシテーブル洗浄機。
【請求項６】
前記搬送路は、水平面に対して鋭角で傾斜した傾斜搬送路を備え、
前記異物掻き取り位置は、前記傾斜搬送路の途中に配置されており、
前記流水洗浄部は、前記傾斜搬送路における上流端から前記異物掻き取り位置までの間に形成した傾斜底面に沿って流水を形成する
請求項２乃至５のうちのいずれか一つの項に記載のブラシテーブル洗浄機。
【請求項７】
前記搬送機構は、前記ブラシテーブルを、前記ブラシが前記流水に晒されながら前記傾斜底面に対峙する姿勢で、前記傾斜搬送路に沿って搬送する
請求項６に記載のブラシテーブル洗浄機。
【請求項８】
前記浸漬洗浄部は、前記流水が流れ落ちる位置に配置した洗浄槽を備えており、
前記傾斜搬送路は、前記異物掻き取り位置よりも下流側の下流側傾斜搬送路部分を備えており、
前記下流側傾斜搬送路部分は、当該下流側傾斜搬送路部分を搬送される前記ブラシテーブルが前記洗浄槽に貯留される洗浄液に浸漬した状態が形成されるように配置されている
請求項６または７に記載のブラシテーブル洗浄機。
【請求項９】
前記浸漬洗浄部は超音波洗浄部である
請求項８に記載のブラシテーブル洗浄機。
【請求項１０】
前記搬送機構は、前記下流側傾斜搬送路部分に沿って前記ブラシテーブルを前方および後方に一定のストロークで繰り返し揺動させる揺動機能を備えている
請求項８または９に記載のブラシテーブル洗浄機。
【請求項１１】
前記搬送機構は、前記ブラシテーブルが搭載されるテーブル搬送具を、前記傾斜搬送路に沿って直線往復移動させる直動機構であり、
前記テーブル搬送具の前記傾斜搬送路の上端位置は、前記テーブル搬送具に洗浄対象の前記ブラシテーブルを搭載し、前記テーブル搬送具から洗浄後の前記ブラシテーブルを取り外すテーブル搭載取り外し位置である
請求項６ないし１０のうちのいずれか一つの項に記載のブラシテーブル洗浄機。
【発明の詳細な説明】
【技術分野】
【０００１】
本発明は板材加工機のブラシテーブルを洗浄するためのブラシテーブル洗浄機に関する。
【背景技術】
【０００２】
タレットパンチプレス、レーザー加工機、これらの複合機であるパンチレーザー複合加工機などの板材加工機では、板材のワークテーブルとして、ブラシテーブルが使用されている。ブラシテーブルは、ベークライト、金属、プラスチック等の素材からなるワークテーブルの表面に一定のピッチで多数本のカーボン、プラスチック等の素材からなるブラシを取り付けた構成となっている。ブラシに乗った状態で加工対象の板材が搬送されて加工位置に位置決めされるので、板材裏面の擦り傷、搬送位置決め等に伴う騒音などの発生を回避できる。
【０００３】
ブラシテーブルは、使用に伴って、加工油その他の異物がブラシあるいはテーブル表面に付着、堆積する。ブラシ、テーブル表面に汚れが付着すると、特に、加工対象の板材に接するブラシに汚れが付着すると、付着した汚れによって板材裏面に細かな擦り傷が付く、板材裏面に汚れが移るなどの弊害が生じる。このため、定期的にブラシテーブルの交換あるいは清掃が必要になる。
【０００４】
ブラシテーブルの清掃を手作業により行う場合には、時間が掛かり、十分にブラシの汚れが取れない場合が多く、効率が悪い。ブラシテーブルのブラシ等に付いた汚れを清掃する機構としては、特許文献１において、板材加工機に、ブラシローラを備えたブラシテーブル清掃装置を搭載することが提案されている。また、特許文献２においては、板材加工機に、汚れ吸着マットを備えたブラシテーブル清掃具を搭載することが提案されている。
【先行技術文献】
【特許文献】
【０００５】
【特許文献１】特開平１１−３２０３１８号公報
【特許文献２】特開２０１６−１２０５０２号公報
【発明の概要】
【発明が解決しようとする課題】
【０００６】
しかしながら、ブラシローラ、吸着マットを用いてブラシテーブルのブラシ間あるいはテーブル表面に付着あるいは堆積した加工油、粉塵などの汚れを十分に除去することは困難である。このような付設の清掃装置を用いる場合でも、ブラシテーブルの寿命が大幅に伸びて交換頻度が大きく下がることを期待できない。ブラシテーブルの単価は一般に高いので、汚れを確実かつ効率良く除去して、ブラシテーブルを繰り返し使用できることが強く望まれている。
【０００７】
本発明の目的は、この点に鑑みて、板材加工機から取り外したブラシテーブルのブラシおよびテーブル表面の汚れを確実かつ効率良く洗浄するのに適した専用のブラシテーブル洗浄機を提供することにある。
【課題を解決するための手段】
【０００８】
上記の課題を解決するために、本発明のブラシテーブル洗浄機は、ブラシテーブルのブラシに付着している異物を掻き取るための針状体が所定のピッチで配列されている異物掻き取り部を備えている。異物掻き取り部の針状体が洗浄対象のブラシテーブルのブラシに所定深さで食い込むように双方の相対的な位置を決め、この状態で、一方あるいは双方を相対的に移動させることで、ブラシ表面に付着している異物、ブラシ間に詰まっている異物を除去している。
【０００９】
本発明のブラシテーブル洗浄機の好適な形態は、
洗浄対象のブラシテーブルを搬送する搬送路と、
搬送路に沿ってブラシテーブルを搬送する搬送機構と、
搬送路の搬送面および搬送路に沿って搬送されるブラシテーブルに流水洗浄、シャワー洗浄または、これらの双方を施す第１洗浄部と、
第１洗浄部によって洗浄されながら搬送路に沿って搬送されるブラシテーブルのブラシに付着している異物を掻き取るための針状体が所定のピッチで配列されている異物掻き取り部と、
異物掻き取り部の異物掻き取り位置を通過した後のブラシテーブルに浸漬洗浄を施す第２洗浄部と
を有していることを特徴としている。
【００１０】
本発明のブラシテーブル洗浄機では、剣山等と同様な構造の異物掻き取り部を配置し、この異物掻き取り部を経由してブラシテーブルを搬送することで、ブラシ自体に付着している異物、ブラシ間に詰まっている異物が、針状体によって掻き取られる。また、温水、薬液などの洗浄液を用いて、搬送面および搬送されるブラシテーブルに流水洗浄あるいはシャワー洗浄を施している。流水洗浄あるいはシャワー洗浄によって、搬送面、ブラシ表面、テーブル表面に付着している加工油等の異物を洗い流すことができる。また、異物掻き取り部において掻き取られた異物がブラシ間、テーブル表面等に残らないように、洗い流すことができる。さらに、流水洗浄あるいはシャワー洗浄と、異物掻き取りとが行われた後のブラシテーブルに浸漬洗浄、例えば超音波浸漬洗浄を施しているので、確実に、ブラシテーブルおよびそのブラシに付着していた汚れを除去できる。
【図面の簡単な説明】
【００１１】
【図１】本発明を適用したブラシテーブル洗浄機の一例を示す斜視図である。
【図２】ブラシテーブル洗浄機の傾斜搬送路を示す説明図である。
【図３】ブラシテーブル洗浄機の洗浄動作の一例を示すフローチャートおよび各工程の説明図である。
【発明を実施するための形態】
【００１２】
以下に、図面を参照して、本発明を適用したブラシテーブルの実施の形態を説明する。図１は実施の形態に係るブラシテーブル洗浄機を示す斜視図であり、図２はその傾斜搬送路を示す説明図である。なお、説明の都合上、ブラシテーブル洗浄機１において、図に示すｙを前後方向、ｘを幅方向、ｚを高さ方向とする。
【００１３】
（全体構成）
ブラシテーブル洗浄機１は、金属製の枠材を組むことによって構成された架台２を備えている。架台２には、洗浄対象のブラシテーブル１００が搬送される搬送路である傾斜搬送路３が配置されている。ブラシテーブル１００は、テーブル搬送具４に搭載されて、傾斜搬送路３に沿って搬送される。テーブル搬送具４は、搬送機構５によって、傾斜搬送路３を往復する。傾斜搬送路３における搬送方向Ａの上流側の部分は、傾斜搬送路３の搬送面、および、搬送されるブラシテーブル１００のうち、少なくとも搬送面に、流水洗浄、シャワー洗浄、または双方を施す第１洗浄部となっている。本例では、ブラシテーブル１００に流水洗浄を施すことのできる流水洗浄部６を備えている。
【００１４】
傾斜搬送路３における搬送方向Ａの中程の位置には、ブラシテーブル１００のブラシに付着している異物を掻き取るための異物掻き取り部である異物掻き取り具７が配置されている。傾斜搬送路３における搬送方向Ａの下流端側の部分には、第２洗浄部が配置されている。本例では、ブラシテーブル１００に超音波浸漬洗浄を施す浸漬洗浄部である洗浄槽８が配置されている。架台２には、洗浄液タンク９ａ、および、ここから洗浄液、例えば温水を洗浄槽８に供給し、洗浄槽８から回収する洗浄液供給部９が搭載されている。また、ブラシテーブル洗浄機１の各部を駆動制御して、予め設定された洗浄動作を行う制御盤１０が、架台２の後端下側の部位に配置されている。
【００１５】
（各部の構成）
傾斜搬送路３は、前後方向ｙに長い架台２の上端部分において、その後端から前端側の部分に掛けて、下方に傾斜した状態に配置されている。傾斜搬送路３は、幅方向ｘの両側に平行に配置したアングル材からなる一対の傾斜ガイドレール３ａによって規定されている。傾斜ガイドレール３ａは、架台２に取り付けた両側の側板２ａの内側表面に取り付けられており、水平に対して鋭角、例えば１５度程度の傾斜角度で傾斜している。傾斜角度は各種の条件に応じて適切な値に設定される。
【００１６】
傾斜ガイドレール３ａに沿って、矩形枠状のテーブル搬送具４がスライド可能である。テーブル搬送具４は、傾斜ガイドレール３ａと同一の傾斜角度で傾斜した姿勢で、一対の傾斜ガイドレール３ａの間に架け渡されている。テーブル搬送具４は、矩形枠状の搬送具本体４ａの両側の側枠部分に、一定の間隔でローラ４ｂが取り付けられている。ローラ４ｂは、各傾斜ガイドレール３ａに乗っており、各傾斜ガイドレール３ａに沿って転動可能である。
【００１７】
架台２には、その幅方向の中央部分に、前後方向ｙに延びる搬送機構５が搭載されている。搬送機構５は、テーブル搬送具４を、傾斜ガイドレール３ａに沿って一定のストロークで直線往復移動させる直動機構である。図１においてテーブル搬送具４が位置している傾斜搬送路３の上端側の位置は、テーブル搭載・取り外し位置である。テーブル搭載・取り外し位置において、テーブル搬送具４に洗浄対象のブラシテーブル１００が搭載され、また、テーブル搬送具４から洗浄後のブラシテーブル１００が取り外される。
【００１８】
ここで、ブラシテーブル１００は公知のように、矩形板状のテーブル１０１と、このテーブル１０１の表面１０２に固定されたブラシ１０３とから構成されている。プラスチック製等の素材からなる線状材を束ねて構成したブラシ１０３が、テーブル１０１の表面１０２に、一定のピッチで縦横に配列されている。ブラシテーブル１００のテーブル１０１の外周縁部には、複数の箇所に取付穴１０４が形成されている。取付穴１０４に対応するように、テーブル搬送具４の側枠部分、横枠部分のそれぞれには、複数の箇所に取付穴４ｃが形成されている。また、テーブル搬送具４は、各種サイズのブラシテーブル１００を搭載できる大きさに設定されている。ブラシテーブル１００は、ブラシ１０３が下向きとなる姿勢で、テーブル搬送具４に搭載される。
【００１９】
流水洗浄部６は、一対の傾斜ガイドレール３ａにおける搬送方向の上流端から異物掻き取り具７まで間に配置した傾斜底面板６ａと、両側の側板２ａとを備えている。傾斜底面板６ａは、傾斜ガイドレール３ａの間を封鎖する状態に配置されており、傾斜ガイドレール３ａと同一の傾斜角度で傾斜している。また、流水洗浄部６は洗浄液吹き出し口６ｂを備えている。洗浄液吹き出し口６ｂは、両側の側板２ａにおける上流端近傍の位置にそれぞれ開口している。洗浄液吹き出し６ｂには、洗浄液供給部９から洗浄液が供給される。洗浄液吹き出し口６ｂは、傾斜ガイドレール３ａの上側に位置し、幅方向ｘに向けて傾斜底面板６ａの表面に洗浄液を吹き出す。洗浄液吹き出し口６ｂから吹き出される洗浄液は、傾斜底面板６ａの上端側に吹き出され、傾斜底面板６ａの表面である傾斜底面（搬送面）に沿って流れ落ちる。これにより、傾斜底面（搬送面）に流水洗浄が施される。
【００２０】
また、搬送されるブラシテーブル１００にも流水洗浄を施すことができる。この場合には、テーブル搬送具４に搭載したブラシテーブル１００のブラシ１０３の毛先が、傾斜底面板６ａに対して近接した高さ位置となるように、ブラシテーブル１００をテーブル搬送具４に搭載しておく。例えば、適切な厚さのスペーサを介して、テーブル搬送具４にブラシテーブル１００を搭載することで、ブラシテーブル１００のブラシ１０３、または、ブラシ１０３およびテーブル１０１の表面１０２の双方が、傾斜底面板６ａに沿って洗浄槽８に向けて流れ落ちる洗浄液に晒されて、流水洗浄が施される。側板２ａ、傾斜底面板６ａにおいて、複数箇所に洗浄液噴射口を配置して、ブラシテーブル１００に洗浄液を噴射することで、シャワー洗浄を行うこともできる。この場合、傾斜底面板６ａを流れ落ちる洗浄液によって、ブラシテーブル１００のブラシ１０３等に流水洗浄も同時に施すことができる。
【００２１】
異物掻き取り具７は、傾斜底面板６ａの下流側の位置に配置されている。異物掻き取り具７は、一対の傾斜ガイドレール３ａの間において、これらに直交する幅方向ｘに水平に延びている。異物掻き取り具７は、金属製などの素材からなる細長い矩形板からなるベース７ａと、ベース７ａの上面に配列した金属製等の素材からなる針状体７ｂとを備えている。異物掻き取り具７は、取付け用ブラケット７ｃによって、架台２の側に固定されている。各針状体７ｂは、一定のピッチで縦横に配列されている。また、各針状体７ｂは、傾斜底面板６ａに直交する方向に延びており、針先が上を向く姿勢で、ベース７ａに固定されている。
【００２２】
テーブル搬送具４によって搬送されるブラシテーブル１００のブラシ１０３は、流れ落ちる洗浄液に晒されながら、針状体７ｂが配列されている位置（異物掻き取り位置）を通って搬送される。針状体７ｂの先が、ブラシテーブル１００の表面１０２に接しないように、針状体７ｂの高さ寸法、ブラシテーブル１００の搬送高さ位置が設定されている。また、ブラシ１０３に対して針状体７ｂが適切な食い込み深さの状態となるように、これらの相対位置等が設定される。搬送されるブラシ１０３の間に針状体７ｂが通る間に、ブラシ表面、ブラシ間に付着、堆積している異物が針状体７ｂによって掻き取られる。針状体７ｂは、ブラシ１０３から異物を掻き取るのに適するように、高さ、太さ、先端形状、材質、剛性、ブラシに対する食い込み深さ、その他の要素が設定される。
【００２３】
なお、本例では、固定した位置に配置した異物掻き取り具７の異物掻き取り位置を経由して、ブラシテーブル１００を搬送させている。この代わりに、ブラシテーブル１００の搬送を止めて、異物掻き取り具７を搬送方向にスライド機構によって所定のストロークで往復移動させてもよい。また、異物掻き取り具７を搬送方向とは異なる方向、例えば、搬送方向に直交する方向に往復移動させることもできる。ブラシテーブル１００および異物掻き取り具７の双方を移動させて、相対運動を発生させることも可能である。
【００２４】
また、異物掻き取り具７を、ベース７ａとして回転筒を配置し、回転筒の外周面から放射状に多数本の針状体７ｂを突出させたブラシローラと同様な構造とすることもできる。このブラシローラ状の異物掻き取り具を用いる場合には、円筒体の中心回りに異物掻き取り具を回転させることで、ブラシ１０３から異物の掻き取り動作が行われる。この場合には、ブラシテーブル１００を停止させた状態、あるいは、ブラシテーブル１００を搬送しながら、異物掻き取り動作を行うことができる。
【００２５】
さらに、本例では異物掻き取り具７の高さ位置が固定されている。例えば、架台２に取り付けた昇降機構によって異物掻き取り具７を支持し、異物掻き取り具７を搬送面に直交する方向に昇降させて、その高さ位置を調整する。これにより、搬送されるブラシテーブル１００のブラシ１０３に対して、針状体７ｂを適切な食い込み深さの状態に設定できる。勿論、ベース７ａに対して各針状体７ｂを昇降可能に取り付けており、各針状体７ｂを、昇降機構によって昇降させてもよい。
【００２６】
次に、洗浄槽８は、傾斜搬送路３における異物掻き取り具７の下流側に配置されている。洗浄槽８は上方に開口した矩形断面の槽であり、側板２ａに連続している両側の側板部分２ｂの間に形成されている。洗浄槽８の後端側の上縁部分は、連結板部分８ａを介して、異物掻き取り具７の下側を通って、傾斜底面板６ａの側に繋がっている。傾斜底面板６ａを流れ落ちる洗浄液は連結板部分８ａを介して洗浄槽８に流れ込む。
【００２７】
洗浄槽８の底には洗浄液回収口８１および洗浄液排出口８２が開口している。また、洗浄槽８の前端側の上縁からは、水平板部分８ｂが前方に水平に延びており、ここには、オーバーフロー口８３が開口している。洗浄液供給部９から供給される洗浄液は、洗浄液吹き出し口６ｂから傾斜底面板６ａに吹き出され、傾斜底面板６ａを流れ落ちて、洗浄槽８に流れ込む。洗浄槽８に溜る洗浄液は、洗浄液回収口８１、オーバーフロー口８３を介して、洗浄液供給部９の側に回収可能である。洗浄液供給部９は、洗浄液タンク９１、洗浄液循環ポンプ９２、洗浄液供給循環配管系９３から構成される。
【００２８】
傾斜搬送路３を規定している両側の傾斜ガイドレール３ａの下流側搬送路部分は、洗浄槽８の両側の側板部分２ｂの内側表面に沿って、洗浄槽８の底側に向かって延びている。下流側搬送路部分に沿って搬送されるブラシテーブル１００は、洗浄槽８に貯留される洗浄液に浸漬され、浸漬洗浄が施される。本例では、洗浄槽８の底に超音波振動子８４が配置され、架台２の後側下端部分に超音波発振器８５が搭載されている。洗浄槽８において、ブラシテーブル１００には超音波浸漬洗浄が施される。
【００２９】
ここで、洗浄液供給循環経路を説明する。洗浄液吹き出し口６ｂから洗浄液が出てない状態では、洗浄液は、洗浄液タンク９１から簡易フィルタ９４、洗浄液循環ポンプ９２、三方向弁９５（切替弁）を介して、洗浄液タンク９１に戻る循環経路に沿って循環する。三方向弁９５を切り替えることで、洗浄液が、三方向弁９５、流量調整弁９６、フィルタ９７およびホース９８を順次通って、洗浄液吹き出し口６ｂに供給される。流量調整弁９６によって、洗浄液吹き出し口６ｂの側に供給される洗浄液の供給流量と洗浄液タンク９１に還流させる洗浄液の戻し流量との比率が調整される。これにより、洗浄液吹き出し口６ｂから吹き出される洗浄液の量を調整できる。なお、洗浄液として温水を使用しているので、水蒸気が発生することを考慮して、図２において細い想像線で示すように、洗浄槽８に被せる蓋１５が付設されている。蓋１５によって覆われる内部空間に溜まった水蒸気を強制的に外部へ放出するために、架台２の前側の上端にはミストコレクタ１６が設置されている。
【００３０】
本例のように洗浄液として温水を使用する場合、洗浄効果を高めるために、洗浄液の加温制御部を配置する場合がある。洗浄対象のブラシテーブル１００のブラシ１０３の素材、汚れとなっている異物の種類、汚れ状態、洗浄液の特性その他の要因に応じて、洗浄液を最も洗浄効果の高い温度状態に制御することが望ましい。なお、洗浄液の洗浄効果を維持するために、洗浄液タンク９１に回収した洗浄液を浄化再生するための機構を付設してもよい。このような浄化再生機構としては、一般的に使用されている各種の機構を採用できる。例えば、洗浄液の脱気処理を行うことで超音波による洗浄効果を維持する。
【００３１】
（洗浄動作）
図３（ａ）はブラシテーブル洗浄機１の洗浄動作を示す概略フローチャートであり、図３（ｂ）、（ｃ）、（ｄ）、（ｅ）は、洗浄動作の各工程における状態を示す説明図である。これらの図を参照して洗浄動作の一連の流れを纏めて説明する。なお、以下の洗浄動作は一例を示すものであり、本発明のブラシテーブル洗浄機１の洗浄動作は、以下の洗浄動作手順に限定されるものではない。
【００３２】
まず、テーブル搬送具４は、搬送方向Ａの上流端のテーブル搭載取り外し位置にある。洗浄対象のブラシテーブル１００を下向きで、テーブル搬送具４に搭載する（図３（ａ）のステップＳＴ１）。初期状態においては、洗浄槽８には、図３（ｂ）に示すように、洗浄液回収口８１によって規定される液面レベルまで洗浄液１１が溜まっている。
【００３３】
制御盤１０に配置されている操作部（図示せず）から洗浄動作の開始指令を入力する（図３（ａ）のステップＳＴ２）。洗浄液供給部９の洗浄液タンク９１から洗浄液吹き出し口６ｂへ向けて洗浄液の供給が開始される。洗浄槽８の洗浄液回収口８１および洗浄液排出口８２は閉じている。洗浄液が、洗浄液吹き出し口６ｂから流水洗浄部６の底面を規定している傾斜底面板６ａに吹き出される。洗浄液は傾斜底面板６ａを流れ落ちて、洗浄槽８に流れ込み、ここに溜まる（図３（ａ）のステップＳＴ３、図３（ｂ））。
【００３４】
テーブル搬送具４に搭載したブラシテーブル１００のブラシ１０３あるいはテーブル１０１の表面１０２から傾斜底面板６ａに落下した塵などの異物が、流水によって洗い流される。例えば、適切な厚さのスペーサを介してブラシテーブル１００をテーブル搬送具４に搭載しておくと、ブラシテーブル１００のテーブル１０１の表面１０２およびブラシ１０３が傾斜底面板６ａに沿って洗浄槽８に向けて流れ落ちる洗浄液に晒されて、これらに流水洗浄が施され、ブラシテーブル１００に付着している加工油等の汚れを、流水洗浄によって、洗い落すことができる。
【００３５】
洗浄槽８に洗浄液が満杯になった後は、洗浄液吹き出し口６ｂから洗浄液を吹き出しながら、搬送機構５を駆動して、テーブル搬送具４を一定のストロークで傾斜搬送路３に沿って繰り返し往復搬送する。ブラシテーブル１００の各ブラシ１０３が異物掻き取り具７の針状体７ｂを通過するのに十分なストロークで往復搬送が繰り返される（図３（ａ）のステップＳＴ４、図３（ｃ））。これにより、ブラシテーブル１００のブラシ１０３は、異物掻き取り具７によって異物が掻き取られる。
【００３６】
異物掻き取り動作によってブラシテーブル１００の側から掻き落とされた加工油、塵埃等の異物は洗浄液によって洗い流されて、洗浄液と共に洗浄槽８の側に流れ込む。ブラシテーブル１００のテーブル１０１の表面１０２およびブラシ１０３が流水に晒される構成とした場合には、流水洗浄によって、ブラシテーブル１００の側から掻き落とされた加工油、塵埃等の異物が洗浄液によって効率良く洗い流されて、洗浄液と共に洗浄槽８の側に流れ込む。洗浄槽８から溢れる洗浄液およびその液面に浮いている異物は、オーバーフロー口８３から洗浄液タンク９１の側に回収される。回収される洗浄液に混入している異物は、タンク回収口に取り付けた布袋９１ａによって捕捉される。
【００３７】
この後は、洗浄液吹き出し口６ｂからの洗浄液の吹き出し動作を止める。超音波振動子８４を駆動すると共に、テーブル搬送具４によって、ブラシテーブル１００が洗浄槽８の洗浄液１１に浸漬する位置まで搬送する。ブラシテーブル１００を洗浄液に浸漬した状態で、テーブル搬送具４によって、所定のストロークでブラシテーブル１００を前後方向に揺動させる。このようにブラシテーブル１００を揺動させながら、ブラシテーブル１００に、所定時間に亘って、超音波浸漬洗浄を施す（図３（ａ）のステップＳ５、図３（ｄ））。
【００３８】
上記の異物掻き取り動作および超音波浸漬洗浄を繰り返し行う（図３（ａ）のステップＳＴ４、ＳＴ５、ＳＴ６）。これらの動作を、設定回数だけ繰り返した後は、テーブル搬送具４によりブラシテーブル１００を洗浄槽８から引き上げ、元のテーブル搭載取り外し位置まで戻す。また、洗浄槽８の洗浄液を洗浄液回収口８１から洗浄液タンク９１の側に回収して、その液面を初期のレベルまで下げる（図３（ａ）のステップＳＴ７、図３（ｅ））。洗浄液回収口８１から洗浄液タンク９１に回収される洗浄液に混入している異物は、タンク回収口に取り付けた布袋９１ｂによって捕捉される。
【００３９】
洗浄後のブラシテーブル１００は、テーブル搭載取り外し位置まで引き上げられた後に、テーブル搬送具４から取り外される（図３（ａ）のステップＳＴ８）。この後は、新たな洗浄対象のブラシテーブル１００をテーブル搬送具４に搭載し、上記と同様にして洗浄を行う。なお、本例では、ブラシテーブル１００をテーブル搬送具４に搭載する動作および取り外す動作を作業員が行うようにしている。ブラシテーブル１００をテーブル搬送具４に搭載する動作および取り外す動作を、ローダー等を付設して自動化することも勿論可能である。
【符号の説明】
【００４０】
１  ブラシテーブル洗浄機
２  架台
２ａ  側板
２ｂ  側板部分
３  傾斜搬送路
３ａ  傾斜ガイドレール
４  テーブル搬送具
４ａ  搬送具本体
４ｂ  ローラ
４ｃ  取付穴
５  搬送機構
６  流水洗浄部
６ａ  傾斜底面板
６ｂ  洗浄液吹き出し口
７  異物掻き取り具
７ａ  ベース
７ｂ  針状体
７ｃ  取付け用ブラケット
８  洗浄槽
８ａ  連結板部分
８ｂ  水平板部分
９  洗浄液供給部
１０  制御盤
１１  洗浄液
１５  蓋
１６  ミストコレクタ
８１  洗浄液回収口
８２  洗浄液排出口
８３  オーバーフロー口
８４  超音波振動子
８５  超音波発振器
９１  洗浄液タンク
９１ａ、９１ｂ  布袋
９２  洗浄液循環ポンプ
９３  洗浄液供給循環配管系
９４  簡易フィルタ
９５  三方向弁
９６  流量調整弁
９７  フィルタ
９８  ホース
１００  ブラシテーブル
１０１  テーブル
１０２  表面
１０３  ブラシ
１０４  取付穴
Ａ    搬送方向
【図１】
2020142158.tif 000003
【図２】
2020142158.tif 000004
【図３】
2020142158.tif 000005